(57)【要約】【課題】吸気口側の水管による騒音の発生を抑制することができる熱源機を提供する。【解決手段】媒体が流れる第１配管３１及び第２配管３２と、第１配管３１と第２配管３２とを連通させて媒体を加熱する熱交換器２２と、熱交換器２２で媒体と熱交換させる燃焼ガスを生成する燃焼部２１と、燃焼部２１に空気を供給するファン４と、熱交換器２２と燃焼部２１とファン４とを収容する筐体１１と、筐体１１に設けられた吸気口１１ａとを備える熱源機１であって、ファン４の吸込口４ａ側には、第１配管３１又は第２配管３２が配置され、吸気口１１ａから吸込口４ａまでの通風路５に、第１配管３１又は第２配管３２への空気の流れを抑制する抑制板６が設けられる。【選択図】図１
2014035094.tif 000002
【特許請求の範囲】
【請求項１】
媒体が流れる第１配管と、前記媒体が流れる第２配管と、前記第１配管と前記第２配管とを連通させて媒体を加熱する熱交換器と、該熱交換器で前記媒体と熱交換させる燃焼ガスを生成する燃焼部と、該燃焼部に空気を供給するファンと、前記熱交換器と前記燃焼部と前記ファンとを収容する筐体と、該筐体に設けられた吸気口とを備える熱源機であって、
前記ファンの吸込口側には、前記第１配管又は前記第２配管が配置され、
前記吸気口から前記吸込口までの通風路に、前記第１配管又は前記第２配管への空気の流れを抑制する抑制板が設けられることを特徴とする熱源機。
【請求項２】
請求項１記載の熱源機であって、
前記抑制板は、前記ファンに固定されることを特徴とする熱源機。
【発明の詳細な説明】
【技術分野】
【０００１】
本発明は、給湯器などの熱源機に関する。
【背景技術】
【０００２】
従来、水などの媒体が流れる第１配管と、第２配管と、両配管を連通させて媒体を加熱する熱交換器と、熱交換器で媒体と熱交換させる燃焼ガスを生成する燃焼部と、燃焼部に燃焼用空気を供給するファンを備えた給湯器などの熱源機が知られている（例えば、特許文献１参照）。
【０００３】
特許文献１のものでは、熱交換器と燃焼部とファンとを収容する筐体を備え、この筐体の前面下部には、空気を取り入れる吸気口が設けられている。
【先行技術文献】
【特許文献】
【０００４】
【特許文献１】特開２００５−１８０７８２号公報
【発明の概要】
【発明が解決しようとする課題】
【０００５】
従来の熱源機では、近年の小型化に伴い、配管のスペースを確保するのが難しく、ファンの吸込口近傍を横切るように第１配管又は第２配管が配置される場合がある。この場合、ファンに吸い込まれる空気が配管に当たり、配管に当たる空気が多いと配管に当たって大きく乱れた空気がそのままの状態でファン吸込口に入り、ファンへの空気供給圧が安定せず、振動音による騒音が発生する虞がある。
【０００６】
本発明は、以上の点に鑑み、ファンの吸込口側の配管による騒音の発生を抑制することができる熱源機を提供することを目的とする。
【課題を解決するための手段】
【０００７】
［１］上記目的を達成するため、本発明は、媒体が流れる第１配管と、前記媒体が流れる第２配管と、前記第１配管と前記第２配管とを連通させて媒体を加熱する熱交換器と、該熱交換器で前記媒体と熱交換させる燃焼ガスを生成する燃焼部と、該燃焼部に空気を供給するファンと、前記熱交換器と前記燃焼部と前記ファンとを収容する筐体と、該筐体に設けられた吸気口とを備える熱源機であって、前記ファンの吸込口側には、前記第１配管又は前記第２配管が配置され、前記吸気口から前記吸込口までの通風路に、前記第１配管又は前記第２配管への空気の流れを抑制する抑制板が設けられることを特徴とする。
【０００８】
本発明によれば、抑制板で配管への空気の流れを抑制し、配管に当たる空気の量を減少させて、配管による空気の乱れを抑制させ、ファンへの空気供給圧を安定させて、振動音の発生を抑制することができる。このため、本発明は、ファンの吸込口側に位置する配管による騒音の発生を抑制することができる。
【０００９】
［２］本発明においては、抑制板をファンに固定させてもよい。これによれば、ファンの吸込口に入る空気が抑制板によって配管に直接当たり難くなり、配管を避けて流れ易くなって、配管により空気が乱れることがない。このため、ファンへの空気供給圧が安定し、振動音による騒音を抑制することができる。また、抑制板を予めファンに固定すれば、ファンを筐体内に配置するときに、抑制板も同時に配置させることができ、組立てが容易となる。
【図面の簡単な説明】
【００１０】
【図１】本発明の実施形態の熱源機を正面から一部断面で示す説明図。
【図２】本実施形態の熱源機を右側面から一部断面で示す説明図。
【図３】（ａ）は本実施形態のファンの吸込口と抑制板との関係を示す説明図。（ｂ）は本実施形態のファンを吸込口側から示す説明図。
【発明を実施するための形態】
【００１１】
本発明の実施形態の熱源機は、給湯器である。図１及び図２に示すように、本実施形態の熱源機１は、筐体１１内に収容される燃焼部２１と、筐体１１内であって、燃焼部２１の上方に配置される熱交換器２２とを備える。
【００１２】
熱交換器２２には、給水管たる第１配管３１と、出湯管たる第２配管３２が接続されている。第１配管３１と第２配管３２は熱交換器２２を介して連通し、第１配管３１を通った媒体は熱交換器２２を通過して第２配管３２に導かれる。換言すれば、第１配管３１の一方が図示省略した給水配管に接続され、他方が熱交換器２２に接続され、第２配管３２の一方が熱交換器２２に接続され、他方が図示省略した出湯配管に接続される。本実施形態の媒体は水である。
【００１３】
燃焼部２１には、図示省略されたガス管からガスが供給される。燃焼部２１では、供給されたガスと後述するファン４から供給される空気とを燃焼させて燃焼ガスを生成する。
【００１４】
熱交換器２２では、内部を流れる媒体としての水と燃焼部２１で生成された燃焼ガスとで熱交換させることにより、水が加熱される。これによって、第１配管３１から給水された水が、熱交換器２２で加熱されて湯となり、この湯が第２配管３２を通って図示省略した出湯配管から供給される。
【００１５】
燃焼部２１の下方には、燃焼部２１に燃焼用の空気を供給するファン４が設けられている。筐体１１の前面下方には、外部の空気を筐体１１内に取り込むための吸気口１１ａが横方向に並んで３つ設けられている。筐体１１の上方には、燃焼ガスを排出する排気口１１ｂが設けられている。
【００１６】
ファン４には、空気を吸い込む吸込口４ａと空気を吐き出す吐出口４ｂとが設けられている。吸込口４ａは、ファン背面側に開口し、吐出口４ｂは上部に開口している。筐体１１の吸気口１１ａから取り込まれた空気は、ファン４の吸込口４ａに向かって流れる。このとき、吸気口１１ａから筐体１１内に取り込まれた空気は、その多くがファン４の吸込口４ａまでの距離が最も短くなるように吸気口１１ａから筐体１１の下部を通り、ファン４の下から回り込むようにして吸込口４ａから吸い込まれる。吸込口４ａからファン４内に吸い込まれた空気は、吐出口４ｂを介して燃焼部２１に供給される。
【００１７】
ファン４の吸込口４ａが設けられたファン背面（吸込口側）と筐体１１の後板との間には、吸込口４ａの下側部分近傍に位置させて、給水管たる第１配管３１の一部分がファン背面と平行に横切るように配置されている。本実施形態においては、吸気口１１ａから筐体１１の下部の隙間を通ってファン４を下から回り込みながら吸込口４ａまでの流路が、燃焼用空気の流れる距離が最も短く、且つ流れる空気の量が最も多くなる通風路５に該当する。
【００１８】
ファン４の吸込口４ａが設けられたファン背面には、第１配管３１の下方に位置させて、ファン４の下方から送り込まれる空気の流れを抑える抑制板６が、ファン背面に対して垂直となるように設けられている。この抑制板６によって、ファン４の下方からの空気の流れが第１配管３１に直接当たらなくなる。そして、吸込口４ａの後方下側を横切る第１配管３１にファン４の下方からの空気が当たることが抑制されて、燃焼用空気が乱れた状態でファン４内に取り込まれることを防止し、ファン４への空気供給圧を安定させ、第１配管３１による振動音による騒音の発生を抑制できる。
【００１９】
また、抑制板６がファン４に固定されているため、熱源機１の組み立てのときに、ファン４と一緒に抑制板６も配置することができ、熱源機１の組み立てが容易となる。
【００２０】
次に、図３（ａ）及び図３（ｂ）を参照して、吸込口４ａと抑制板６との関係を説明する。図３（ａ）は図２のファン４の部分を拡大して示したものである。図３（ｂ）はファン４を吸込口側から示したものである。ここで、ファン４の吸込口４ａの最小径部の直径をＡ、吸込口４ａの中心軸線上から抑制板６までの距離をＢ、抑制板６の幅をＣ（図３（ｂ）参照）、抑制板６の高さをＤ、第１配管３１から吸込口４ａの中心軸線までの距離をＬと定義する。
【００２１】
熱源機１は、Ｌ／Ａ＜１．７５であるときに、燃焼用空気がファン４の下側からファン４に多く入ると、第１配管３１により燃焼用空気が乱され、この乱れた空気をファン４が取り込むことにより、ファン４の空気供給圧が不安定となり、振動音を発生する。これを防止すべくファン４に設けられる抑制板６は、Ｂ／Ａ≧１．７５となるようにファン４の背面に取り付けられている。これにより、ファン４の吸込口４ａに入る空気が抑制板６によって第１配管３１に当たり難くなり、燃焼用空気が第１配管３１によって乱れ難くなって、ファン４の空気供給圧が安定し、振動音が抑制される。また、Ｂ／Ａ≧１．７５であれば、抑制板６がファン４に吸込口４ａから吸い込まれる燃焼用空気の抵抗とはならず、燃焼が悪くならない。
【００２２】
抑制板６の幅Ｃは、吸込口４ａの最小径部の直径Ａ以上に設定され、抑制板６の高さＤは、ファン４の背面から第１配管３１の背面側までの距離Ｈ以上となるように設定されている。
【００２３】
なお、本実施形態においては、熱源機１を給湯器として説明した。しかしながら、本発明の熱源機は、これに限らない。例えば、本発明の熱源機は、暖房機用熱源機であってもよい。この場合、第１配管は媒体が戻る戻り配管であり、第２配管は媒体を暖房機に送る往き配管であると定義することもできる。また、この場合の媒体は水でなくてもよい。
【００２４】
また、本実施形態においては、抑制板６はファン４に設けたが、本発明はこれに限らない。筐体１１の前面下方の吸気口１１ａからファン４の背面を横切る第１配管３１に当たりファン４の吸込口４ａに入る燃焼用空気の流れが最短となる通風路の途中に抑制板を設け、第１配管３１に当たる燃焼用空気を少なくできればよく、例えば、図２で破線で示すように、筐体１１の前面下方の吸気口１１ａから筐体１１の下部をファン４に向かって流れる燃焼用空気を抑制するように抑制板６’を筐体１１の底面からファン４に向かって延びるように設けても、第１配管３１による騒音の発生を抑制できるという本発明の効果を得ることができる。
【００２５】
また、本実施形態においては、ファン４の吸込口４ａが設けられたファン背面と筐体１１の後板との間であって吸込口４ａの下側を横切るように第１配管３１が配置された熱源機を説明した。しかしながら、本発明の熱源機はこれに限らず、例えば、吸気口１１ａからファン４の吸込口４ａまでの距離が最も短くなるのが、ファン４の左右横方向側であって、吸込口４ａの横部分を横切る第１配管がある場合、吸気口１１ａから第１配管を通ってファン４へと流れる空気を抑えるように、吸気口１１ａから第１配管までの間の通風路に、抑制板を設ければよい。
【００２６】
また、本実施形態においては、ファン４の吸込口４ａが設けられたファン背面と筐体１１の後板との間を、第１配管３１が横切って配置された熱源機を説明したが、第２配管がファン背面と筐体１１の後板との間を横切るように配置された熱源機にも同様に本発明を適用することができる。
【符号の説明】
【００２７】
１…熱源機、１１…筐体、１１ａ…吸気口、１１ｂ…排気口、２１…燃焼部、２２…熱交換器、３１…第１配管、３２…第２配管、４…ファン、４ａ…吸込口、４ｂ…吐出口、５…通風路、６，６’…抑制板。
【図１】
2014035094.tif 000003
【図２】
2014035094.tif 000004
【図３】
2014035094.tif 000005